(57)【要約】【課題】設備室内での移動を容易に行いつつ、居住者が普段いる場所から設備室への移動距離を短くして行き来をしやすくすることが可能な建物を提供することを目的とする。【解決手段】床部２と、当該床部２よりも一段高い高床部３とを有する建物１が、高床部３上に設けられる高床部屋４と、高床部屋４に隣接するとともに設備機器５ａ，６ａ，７ａが設けられる設備室５，６と、を備えており、設備室５，６の床は、設備機器５ａ，６ａが設置される低床の床部２と、高床部３と連続する高床の腰かけ部２ａ，２ａと、から構成されており、設備室５，６は、当該設備室５，６の腰かけ部２ａ，２ａと高床部３との間に設けられ、かつ建具付きの出入口５ｂ，６ｂが形成された壁１４，１５を含む複数の壁１１〜１９によって区画されている。【選択図】図１
2014189942.tif 000002
【特許請求の範囲】
【請求項１】
床部と、当該床部よりも一段高い高床部とを有する建物において、
前記高床部上に設けられる高床部屋と、前記高床部屋に隣接するとともに設備機器が設けられる設備室と、を備えており、
前記設備室の床は、前記設備機器が設置される低床の前記床部と、前記高床部屋の前記高床部と連続する高床の腰かけ部と、から構成されており、
前記設備室は、当該設備室の前記腰かけ部と前記高床部屋の前記高床部との間に設けられ、かつ建具付きの出入口が形成された壁を含む複数の壁によって区画されていることを特徴とする建物。
【請求項２】
請求項１に記載の建物において、
前記腰かけ部は、前記出入口が形成された壁と直交して設けられる二つの前記壁間にわたって、かつ前記出入口を横切るようにして設けられていることを特徴とする建物。
【請求項３】
請求項１または２に記載の建物において、
前記設備室は便所であり、
当該便所には、前記設備機器である便器が、前記腰かけ部の近傍に位置するようにして設けられていることを特徴とする建物。
【請求項４】
請求項１または２に記載の建物において、
前記設備室は浴室であり、
当該浴室には、前記設備機器である浴槽が、前記腰かけ部に隣接するようにして設けられていることを特徴とする建物。
【請求項５】
請求項１または２に記載の建物において、
前記高床部屋の周囲には、それぞれ異なる機能の複数の前記設備室が設けられており、
前記複数の設備室には、それぞれ異なる種類の前記設備機器が設置されており、
前記複数の設備室のうちの一つは便所とされ、
当該便所には、前記設備機器である便器が、前記腰かけ部の近傍に位置するようにして設けられており、
前記複数の設備室のうちの一つは浴室とされ、
当該浴室には、前記設備機器である浴槽が、前記腰かけ部に隣接するようにして設けられていることを特徴とする建物。
【請求項６】
請求項３または５に記載の建物において、
前記便所は、前記高床部屋とは異なる他の建物内空間に隣接しており、当該便所は、前記高床部屋側の出入口とは異なる前記他の建物内空間側の出入口を備えることを特徴とする建物。
【請求項７】
請求項４または５に記載の建物において、
前記浴室は、前記高床部屋とは異なる他の建物内空間に隣接しており、当該浴室は、前記高床部屋側の出入口とは異なる前記他の建物内空間側の出入口を備えることを特徴とする建物。
【請求項８】
請求項１〜７のいずれか一項に記載の建物において、
前記高床部屋の周囲には、
前記腰かけ部と、
前記高床部屋の周方向に沿って前記腰かけ部と連続的に、かつ前記高床部と連続する高床の腰かけ台と、が設けられていることを特徴とする建物。
【発明の詳細な説明】
【技術分野】
【０００１】
本発明は、住宅等の建物に関する。
【背景技術】
【０００２】
従来、例えば足腰が弱くなった人や高齢者等の居住者がトイレや浴室等の住宅の設備室を利用する際に、出入口から便器や浴槽まで、当該設備室の使用者が腰かけたまま、または少しずつ腰を浮かせながら容易に移動できるような技術が開発されている（例えば、特許文献１，２参照）。
【先行技術文献】
【特許文献】
【０００３】
【特許文献１】特開２００１−２６９２９１号公報
【特許文献２】特開平１１−０７１９２２号公報
【発明の概要】
【発明が解決しようとする課題】
【０００４】
ところが、従来の“腰かけ”に係る技術はいずれにしても、設備室内での移動に限られるため、上記のような居住者が普段いる場所と設備室とが、例えば廊下や他の部屋によって隔てられていると移動距離が長くなり、上記のような居住者にとっては行き来が困難になる場合がある。
【０００５】
本発明の課題は、設備室内での移動を容易に行いつつ、居住者が普段いる場所から設備室への移動距離を短くして行き来をしやすくすることが可能な建物を提供することを目的とする。
【課題を解決するための手段】
【０００６】
請求項１に記載の発明は、例えば図１〜図４に示すように、床部２と、当該床部２よりも一段高い高床部３とを有する建物１において、
前記高床部３上に設けられる高床部屋４と、前記高床部屋４に隣接するとともに設備機器５ａ（６ａ）が設けられる設備室５（６）と、を備えており、
前記設備室５（６）の床は、前記設備機器５ａ（６ａ）が設置される低床の前記床部２と、前記高床部屋４の前記高床部３と連続する高床の腰かけ部２ａと、から構成されており、
前記設備室５（６）は、当該設備室５（６）の前記腰かけ部２ａと前記高床部屋４の前記高床部３との間に設けられ、かつ建具付きの出入口５ｂ（６ｂ）が形成された壁１５（１４）を含む複数の壁１１〜１９によって区画されていることを特徴とする。
【０００７】
請求項１に記載の発明によれば、前記設備室５（６）の床が、前記設備機器５ａ（６ａ）が設置される低床の前記床部２と、前記高床部屋４の前記高床部３と連続する高床の腰かけ部２ａと、から構成されているので、前記高床部屋４と前記設備室５（６）は、前記腰かけ部２ａを介して隣接することになる。
これによって、前記各設備室５（６）内では前記腰かけ部２ａによって移動を容易に行うことができるとともに、前記高床部屋４から前記各設備室５（６）への移動距離を短くすることができる。
しかも、前記高床部屋４から前記各設備室５（６）へと移動する際に、例えば這ったまま移動したり、介助者に支えられながら移動して腰かけ部２ａに一旦腰かけたり、といった様々な移動の形態をとることができるので、前記高床部屋４と前記各設備室５（６）との間の行き来のしやすさを向上できる。
【０００８】
請求項２に記載の発明は、請求項１に記載の建物１において、
前記腰かけ部２ａは、前記出入口５ｂ（６ｂ）が形成された壁１５（１４）と直交して設けられる二つの前記壁１８，１９（１１，１６）間にわたって、かつ前記出入口５ｂ（６ｂ）を横切るようにして設けられていることを特徴とする。
【０００９】
請求項２に記載の発明によれば、前記腰かけ部２ａは、前記出入口５ｂ（６ｂ）が形成された壁１５（１４）と直交して設けられる二つの前記壁１８，１９（１１ａ，１６）間にわたって、かつ前記出入口５ｂ（６ｂ）を横切るようにして設けられているので、前記出入口５ｂ（６ｂ）からすぐに前記腰かけ部２ａに移動できる。
さらに、前記腰かけ部２ａの長さと前記二つの壁１８，１９（１１ａ，１６）間の間隔とが等しくなるので、前記腰かけ部２ａに腰かけたまま前記設備室５（６）内の一端から他端まで移動することができる。これによって、前記設備室５（６）内における移動のしやすさを向上できる。
【００１０】
請求項３に記載の発明は、請求項１または２に記載の建物１において、
前記設備室５は便所であり、
当該便所５には、前記設備機器５ａである便器が、前記腰かけ部２ａの近傍に位置するようにして設けられていることを特徴とする。
【００１１】
請求項３に記載の発明によれば、前記設備室５は便所であるため、前記高床部屋４から当該便所５への移動距離を短くすることができ、前記高床部屋４と当該便所５との間の行き来のしやすさを向上できる。
さらに、前記腰かけ部２ａの近傍に前記便器５ａが設置されているので、前記腰かけ部２ａを利用して前記便器５ａまで容易かつ確実に移動できる。
【００１２】
請求項４に記載の発明は、請求項１または２に記載の建物１において、
前記設備室６は浴室であり、
当該浴室６には、前記設備機器６ａである浴槽が、前記腰かけ部２ａに隣接するようにして設けられていることを特徴とする。
【００１３】
請求項４に記載の発明によれば、前記設備室６は浴室であるため、前記高床部屋４から当該浴室６への移動距離を短くすることができ、前記高床部屋４と当該浴室６との間の行き来のしやすさを向上できる。
さらに、前記腰かけ部２ａに隣接して前記浴槽６ａが設置されているので、前記腰かけ部２ａを利用して前記浴槽６ａまで容易かつ確実に移動できる。
【００１４】
請求項５に記載の発明は、請求項１または２に記載の建物１において、
前記高床部屋４の周囲には、それぞれ異なる機能の複数の前記設備室５，６が設けられており、
前記複数の設備室５，６には、それぞれ異なる種類の前記設備機器５ａ，６ａが設置されており、
前記複数の設備室５，６のうちの一つは便所とされ、
当該便所５には、前記設備機器５ａである便器が、前記腰かけ部２ａの近傍に位置するようにして設けられており、
前記複数の設備室５，６のうちの一つは浴室とされ、
当該浴室６には、前記設備機器６ａである浴槽が、前記腰かけ部２ａに隣接するようにして設けられていることを特徴とする。
【００１５】
請求項５に記載の発明によれば、前記高床部屋４の周囲に設けられた前記複数の設備室５，６のうちの一つは便所とされ、また一つは浴室とされているので、前記高床部屋４から当該便所５および当該浴室６への移動距離を短くすることができ、前記高床部屋４と当該便所５および当該浴室６との間の行き来のしやすさを向上できる。
さらに、前記腰かけ部２ａの近傍に前記便器５ａが設置されているので、前記腰かけ部２ａを利用して前記便器５ａまで容易かつ確実に移動できる。
さらに、前記腰かけ部２ａに隣接して前記浴槽６ａが設置されているので、前記腰かけ部２ａを利用して前記浴槽６ａまで容易かつ確実に移動できる。
【００１６】
請求項６に記載の発明は、請求項３または５に記載の建物１において、
前記便所５は、前記高床部屋４とは異なる他の建物内空間（例えば居室９）に隣接しており、当該便所５は、前記高床部屋４側の出入口５ｂとは異なる前記他の建物内空間側の出入口（例えば出入口１９ａ）を備えることを特徴とする。
【００１７】
請求項６に記載の発明によれば、前記便所５は、前記高床部屋４とは異なる他の建物内空間（例えば居室９）に隣接しており、当該便所５は、前記高床部屋４側の出入口５ｂとは異なる前記他の建物内空間側の出入口（例えば出入口１９ａ）を備えるので、前記高床部屋４に普段いない居住者も、当該他の建物内空間側の出入口を使って前記便所５を使用でき、利便性に優れる。
【００１８】
請求項７に記載の発明は、請求項４または５に記載の建物１において、
前記浴室６は、前記高床部屋４とは異なる他の建物内空間（例えば居室９）に隣接しており、当該浴室６は、前記高床部屋４側の出入口６ｂとは異なる前記他の建物内空間側の出入口（例えば出入口１７ａ）を備えることを特徴とする。
【００１９】
請求項７に記載の発明によれば、前記浴室６は、前記高床部屋４とは異なる他の建物内空間（例えば居室９）に隣接しており、当該浴室６は、前記高床部屋４側の出入口６ｂとは異なる前記他の建物内空間側の出入口（例えば出入口１７ａ）を備えるので、前記高床部屋４に普段いない居住者も、当該他の建物内空間側の出入口を使って前記浴室６を使用でき、利便性に優れる。
【００２０】
請求項８に記載の発明は、請求項１〜７のいずれか一項に記載の建物１において、
前記高床部屋４の周囲には、
前記腰かけ部２ａと、
前記高床部屋４の周方向に沿って前記腰かけ部２ａと連続的に、かつ前記高床部３と連続する高床の腰かけ台２０，２１と、が設けられていることを特徴とする。
【００２１】
請求項８に記載の発明によれば、前記高床部屋４の周囲には、前記腰かけ部２ａと、前記腰かけ台２０，２１と、が設けられているので、これら腰かけ部２ａと腰かけ台２０，２１とによって前記高床部屋４の周囲を取り囲むことができる。
これによって、前記高床部屋４から前記設備室５，６への行き来だけに限られず、前記高床部屋４から当該高床部屋４に隣接する他の空間（例えば居室９、屋外空間）との行き来のしやすさも向上させることができる。
【発明の効果】
【００２２】
本発明によれば、設備室内での移動を容易に行いつつ、居住者が普段いる場所から設備室への移動距離を短くして行き来をしやすくすることが可能となる。
【図面の簡単な説明】
【００２３】
【図１】本発明に係る建物を示す平断面図である。
【図２】高床部屋と便所とを示す斜視図である。
【図３】高床部屋と浴室とを示す斜視図である。
【図４】高床部屋付近を示す斜視図である。
【発明を実施するための形態】
【００２４】
以下、図面を参照して本発明の実施の形態について説明する。なお、図１の紙面上において上が北、下が南、左が西、右が東とされている。
図１において符号１は建物を示す。この建物１は平屋建ての住宅であり、床部２と、当該床部２よりも一段高い高床部３とを有する。
また、この建物１は、前記高床部３上に設けられる高床部屋４と、前記高床部屋４に隣接するとともに設備機器５ａ，６ａが設けられる複数の設備室５，６と、を備える。
さらに、この建物１は、前記高床部屋４に隣接するとともに設備機器７ａが設けられる設備室７と、前記高床部屋４に隣接する収納室８と、リビングとダイニングとキッチンと廊下の機能を一室に併存させた大空間の居室９と、この居室９に隣接する玄関１０と、を備える。
【００２５】
前記床部２は、前記高床部３と前記玄関１０の土間床とを除く前記建物１内の床を指している。前記高床部３は、前記床部２よりも一段高い位置に設けられている。なお、前記玄関１０の土間床は、前記床部２よりも一段低い位置に設けられている。
【００２６】
前記高床部屋４は、畳敷きの和室とされており、本実施の形態においては、例えば足腰が弱くなった人や高齢者等の居住者が普段いる場所となっている。
また、この高床部屋４は、建物１の北側に配置されており、北側が屋外に面している。さらに、この高床部屋４の南側に前記居室９が配置されている。
【００２７】
前記複数の設備室５，６および前記設備室７（以下、複数の設備室５，６，７）は前記高床部屋４の周囲に設けられており、これら複数の設備室５，６，７に、それぞれ異なる種類の前記設備機器５ａ，６ａ，７ａが設置されることによって、それぞれ異なる機能を有する。また、前記収納室８も、前記高床部屋４の周囲に設けられている。
また、前記設備室５および前記収納室８は前記高床部屋４の東側に配置されており、これら設備室５と収納室８のうち前記設備室５が前記収納室８よりも南側に配置されている。さらに、前記設備室６，７は前記高床部屋４の西側に配置されており、これら設備室６，７のうち前記設備室７が前記設備室６よりも南側に配置されている。
【００２８】
前記設備室５，６，７の床は、前記設備機器５ａ，６ａ，７ａが設置される低床の前記床部２と、前記高床部屋４の前記高床部３と連続する高床の腰かけ部２ａ…と、から構成されている。
また、前記収納室８の床も同様に、前記床部２と、前記高床部屋４の前記高床部３と連続する高床の腰かけ部２ａと、から構成されている。
【００２９】
前記設備室５，６，７は、例えば便器や浴槽、洗面台等を始めとする主要な住宅設備機器が設置された部屋を指している。そして、本実施の形態において複数の設備室５，６，７のうちの一つは便所５とされ、一つは浴室６とされ、一つは洗面脱衣室７とされている。そして、前記便所５には設備機器として便器５ａが設置され、前記浴室６には設備機器として浴槽６ａが設置され、前記洗面脱衣室７には設備機器として洗面台７ａが設置されている。前記高床部屋４の前記高床部３のうち前記浴室６側の出入口６ｂ付近は防水仕様の畳や床材が使用されている。
なお、前記収納室８は、収納設備として建物１内に設けられるスペースを指しており、当該収納室８は設備室と換言できる。また、この収納室８内に棚等を設置すれば、単に空間があるだけの場合に比して、より確実に設備室としての機能を果たすことができる。
【００３０】
また、本実施の形態の建物１内においては、前記便所５と前記収納室８とが南北に並んで配置されており、前記浴室６と前記洗面脱衣室７とが南北に並んで配置されている。本実施の形態においては前記浴室６と前記収納室８とが北側に配置され、前記便所５と前記洗面脱衣室７とが南側に配置されている。
これら複数の設備室５，６，７と前記収納室８は、当該設備室５，６，７および収納室８の前記腰かけ部２ａ…と前記高床部屋４の前記高床部３との間に設けられ、かつ建具付きの出入口５ｂ，６ｂ，７ｂ，８ｂが形成された壁１４，１５を含む複数の壁１１〜１９によって区画されている。
【００３１】
前記複数の壁１１〜１９は、建物１の外壁および内壁を指している。これら複数の壁１１〜１９は、南北方向や東西方向等に沿って配置されることによって、建物１と屋外、前記高床部屋４と前記複数の設備室５，６，７と前記収納室８と前記居室９とを適宜区切っている。
【００３２】
前記壁１１は外壁であり、建物１の北側に設けられている。この外壁１１は、前記高床部屋４と前記浴室６と前記収納室８の北側面を形成している。
この外壁１１は、図１に示すように、凹凸のある外壁面となるように形成されている。具体的には浴室６の北側に入隅部があり、高床部屋４の北側に凹部があり、収納室８の北側に突出部がある。
入隅部は、平面視略Ｌ字状に直交する一方の壁１１ａと他方の壁１１ｂとからなる。壁１１ａには前記浴室６の窓開口部が形成されている。
凹部は、前記他方の壁１１ｂと、当該他方の壁１１ｂと直交する壁１１ｃと、当該他方の壁１１ｂと対向する壁１１ｄとによって平面視凹字状に形成されている。壁１１ｃには前記高床部屋４の窓開口部（掃き出し窓）が形成されている。
突出部は、前記壁１１ｄと、この壁１１ｄと直交する壁１１ｅと、建物１の東側の壁１３とによって形成されている。
【００３３】
前記壁１２は外壁であり、建物１の西側に設けられている。この外壁１２は、前記浴室６および前記洗面脱衣室７の西側面を形成している。また、この外壁１２には、複数の窓開口部が形成されている。
【００３４】
前記壁１３は外壁であり、建物１の東側に設けられている。この外壁１３は、前記便所５および前記収納室８の東側面を形成している。また、この外壁１３には、複数の窓開口部が形成されている。
【００３５】
前記壁１４は内壁であり、前記高床部屋４の西側に設けられている。この内壁１４は、前記外壁１２と平行して配置され、前記浴室６および前記洗面脱衣室７の東側面を形成している。
また、この内壁１４には、前記浴室６側に前記出入口６ｂが形成され、前記洗面脱衣室７側に前記出入口７ｂが形成されている。
【００３６】
前記壁１５は内壁であり、前記高床部屋４の東側に設けられている。この内壁１５は、前記外壁１３と平行して配置され、前記便所５および前記収納室８の西側面を形成している。
また、この内壁１５には、前記便所５側に前記出入口５ｂが形成され、前記収納室８側に前記出入口８ｂが形成されている。
【００３７】
前記壁１６は内壁であり、前記浴室６と前記洗面脱衣室７との間に設けられるとともに前記壁１１ａと平行して配置されている。すなわち、この内壁１６は、前記浴室６の南側面および前記洗面脱衣室７の北側面を形成している。さらに、この内壁１６は、前記外壁１２および前記内壁１４と直交して配置されている。
また、この内壁１６には、前記浴室６と前記洗面脱衣室７とを連通する出入口１６ａが形成されている。すなわち、前記浴室６は、前記高床部屋４とは異なる他の建物内空間である前記洗面脱衣室７に隣接しており、当該浴室６は、前記高床部屋４側の出入口６ｂとは異なる前記洗面脱衣室７側の出入口１６ａを備えることになる。これにより、前記浴室６は二方向から出入りが可能となる。
【００３８】
前記壁１７は内壁であり、前記洗面脱衣室７と前記居室９との間に設けられるとともに前記内壁１６と平行して配置されている。すなわち、この内壁１７は、前記洗面脱衣室７の南側面および前記居室９の北側面の一部を形成している。さらに、この内壁１７は、前記外壁１２および前記内壁１４と直交して配置されている。
また、この内壁１７には、前記洗面脱衣室７と前記居室９とを連通する出入口１７ａが形成されている。すなわち、前記洗面脱衣室７は、前記高床部屋４とは異なる他の建物内空間である前記居室９に隣接しており、当該洗面脱衣室７は、前記高床部屋４側の出入口７ｂとは異なる前記居室９側の出入口１７ａを備えることになる。これにより、前記洗面脱衣室７は二方向から出入りが可能となる。また、当該洗面脱衣室７は、前記浴室６との間の出入口１６ａを含めると三方向に出入口があることになる。
【００３９】
前記壁１８は内壁であり、前記収納室８と前記便所５との間に設けられるとともに前記壁１１ｅと平行して配置されている。すなわち、この内壁１８は、前記収納室８の南側面および前記便所５の北側面を形成している。さらに、この内壁１８は、前記外壁１３および前記内壁１５と直交して配置されている。
【００４０】
前記壁１９は内壁であり、前記便所５と前記居室９との間に設けられるとともに前記内壁１８と平行して配置されている。すなわち、この内壁１９は、前記便所５の南側面および前記居室９の北側面の一部を形成している。さらに、この内壁１８は、前記外壁１３および前記内壁１５と直交して配置されている。
また、この内壁１９には、前記便所５と前記居室９とを連通する出入口１９ａが形成されている。すなわち、前記便所５は、前記高床部屋４とは異なる他の建物内空間である前記居室９に隣接しており、当該便所５は、前記高床部屋４側の出入口５ｂとは異なる前記居室９側の出入口１９ａを備えることになる。これにより、前記便所５は二方向から出入りが可能となる。
【００４１】
なお、前記高床部屋４の南側は、当該高床部屋４と前記居室９とを連通する開口部４ａとされており、建具によって開閉される。この開口部４ａは、前記内壁１７の端部と前記内壁１５の端部とにわたって形成された大開口となっている。
【００４２】
本実施の形態の腰かけ部２ａは、上面が座面となる板状体またはパネル状体であり、必要に応じて脚体で支持されていてもよい。
なお、この腰かけ部２ａは、このように板状体またはパネル状体に限られるものではなく、例えば複数本の棒材を並べてすのこ状にしたものでもよい。さらに、前記高床部３を前記設備室５，６，７および前記収納室８側に張り出させて形成されたものであってもよい。いずれにせよ、この腰かけ部２ａの上面の高さと前記高床部３の上面の高さとは略等しい床レベル（高さ位置）とされている。
【００４３】
また、前記腰かけ部２ａは、前記５ｂ，６ｂ，７ｂ，８ｂが形成された壁１４，１５と直交して設けられる二つの前記壁１８，１９間、１１ａ，１６間、１６，１７間、１１ｅ，１８間にわたって、かつ前記出入口５ｂ，６ｂ，７ｂ，８ｂを横切るようにして設けられている。
すなわち、前記腰かけ部２ａは、各設備室５，６，７内および収納室８内において前記壁１４，１５の幅方向に沿って長尺に形成されており、かつ当該腰かけ部２ａの長さ方向と前記壁１４，１５の幅方向とが揃うようにして配置されている。これによって、この腰かけ部２ａは、前記出入口５ｂ，６ｂ，７ｂ，８ｂを横切るようにして設けられることになる。
また、この腰かけ部２ａは、前記二つの壁１８，１９、１１ａ，１６、１６，１７、１１ｅ，１８に架設固定され、支持されている。
【００４４】
また、前記便所５に設けられた前記便器５ａは、前記腰かけ部２ａの近傍に位置するようにして配置されている。これによって、利用者は、前記腰かけ部２ａに腰かけたまま前記便所５内の一端から他端まで移動することができる。
【００４５】
また、前記浴室６に設けられた前記浴槽６ａは、前記腰かけ部２ａに隣接するようにして配置されている。これによって、利用者は、前記腰かけ部２ａに腰かけたまま前記出入口６ｂから前記浴槽６ａまで移動することができる。
なお、前記浴室６に設けられる腰かけ部２ａは、耐水性の高い材料によって構成されているものとする。
【００４６】
また、前記洗面脱衣室７に設けられた前記洗面台７ａは、前記腰かけ部２ａと離間して設けられている。これによって、脱衣スペースを確保できるとともに、利用者は、前記腰かけ部２ａに腰かけたまま前記洗面脱衣室７の一端から他端まで移動することができる。
【００４７】
前記高床部屋４の周囲には、前記腰かけ部２ａ…と、前記高床部屋４の周方向に沿って前記腰かけ部２ａ…と連続的に、かつ前記高床部３と連続する高床の腰かけ台２０，２１と、が設けられている。すなわち、これら腰かけ部２ａ…と腰かけ台２０，２１とによって前記高床部屋４の周囲を取り囲むことができる。
【００４８】
前記腰かけ台２０は、平面視略Ｌ字状に形成され、前記内壁１７から前記内壁１９にかけて設けられている。また、前記腰かけ台２１は、前記外壁１１の前記壁１１ｂから前記壁１１ｄにかけて設けられている。
これら腰かけ台２０、２１の構成は、前記腰かけ部２ａと略同様であり、上面が座面となる板状体またはパネル状体であり、必要に応じて脚体で支持される。
なお、屋外に設置されることになる前記腰かけ台２１は、耐水性・耐候性の高い材料によって構成されているものとする。さらに、この腰かけ台２１の上方に例えば軒や庇、バルコニー等が設けられていてもよい。
【００４９】
また、前記外壁１１の入隅部にも、前記高床部屋４の周方向に沿って前記腰かけ部２ａ…と連続的に、かつ前記高床部３と略等しい高さ位置に腰かけ台２２が設けられている。
これにより、前記腰かけ部２ａと、前記腰かけ台２０，２１と、当該腰かけ台２２とによって前記高床部屋４を全周にわたって取り囲んでいるように見せることができる。より詳細には、これら腰かけ部２ａ、腰かけ台２０，２１，２２と、前記各壁によって前記高床部４を全周にわたって取り囲んでいる。なお、このように前記高床部屋４を全周にわたって取り囲んでいるように見せることができるので外観性に優れる。また、屋外作業中の腰かけや、荷物等の置き場所としても使用できる。
【００５０】
なお、本実施の形態の建物１は、前記複数の設備室５，６，７を備えるものとしたが、これに限られるものではなく、建物の広さ等を考慮して一つの設備室５（６，７）を備えるものとしてもよい。その場合も、前記腰かけ部２ａは、前記出入口５ｂ（６ｂ，７ｂ）が形成された壁１５（１４）と直交して設けられる二つの前記壁１８，１９間（１１ａ，１６間、１６，１７間）にわたって、かつ前記出入口５ｂ（６ｂ，７ｂ）を横切るようにして設けられる。さらに、前記便器５ａも、前記腰かけ部２ａの近傍に位置するようにして設けられる。設備室が浴室６である場合は、前記浴槽６ａも、前記腰かけ部２ａに隣接するようにして設けられ、設備室が洗面脱衣室７である場合は、前記洗面台７ａも、前記腰かけ部２ａと離間して設けられる。
したがって、敷地条件等により複数の設備室を導入できないという問題に対して好適に対処することができる。また、建物１内に導入する設備室は、複数の設備室の中から居住者が適宜選択できるものとする。
【００５１】
本実施の形態によれば、前記設備室５，６，７の床が、前記設備機器５ａ，６ａ，７ａが設置される低床の前記床部２と、前記高床部屋４の前記高床部３と連続する高床の腰かけ部２ａ…と、から構成されているので、前記高床部屋４と前記設備室５，６，７は、前記腰かけ部２ａ…を介して隣接することになる。
これによって、前記各設備室５，６，７内では前記腰かけ部２ａ…によって移動を容易に行うことができるとともに、前記高床部屋４から前記各設備室５，６，７への移動距離を短くすることができる。
しかも、前記高床部屋４から前記各設備室５，６，７へと移動する際に、例えば這ったまま移動したり、介助者に支えられながら移動して腰かけ部２ａ…に一旦腰かけたり、といった様々な移動の形態をとることができるので、前記高床部屋４と前記各設備室５，６，７との間の行き来のしやすさを向上できる。
また、前記収納室８においても、当該収納室８内では前記腰かけ部２ａによって移動を容易に行えるとともに、前記高床部屋４から当該収納室８への移動距離を短くすることができる。また、収納室８内では前記腰かけ部２ａを一時的な荷物置き場としても利用することができる。
【００５２】
また、前記腰かけ部２ａ…は、前記出入口５ｂ，６ｂ，７ｂ，８ｂが形成された壁１４，１５と直交して設けられる前記二つの壁１８，１９間、１１ａ，１６間、１６，１７間、１１ｅ，１８間にわたって、かつ前記出入口５ｂ，６ｂを横切るようにして設けられているので、前記出入口５ｂ，６ｂ，７ｂ，８ｂからすぐに前記腰かけ部２ａ…に移動できる。
さらに、前記腰かけ部２ａ…の長さと前記二つの壁１８，１９間、１１ａ，１６間、１６，１７間、１１ｅ，１８間の間隔とが等しくなるので、前記腰かけ部２ａ…に腰かけたまま前記設備室５，６，７内および前記収納室８内の一端から他端まで移動することができる。これによって、前記設備室５，６，７内および前記収納室８内における移動のしやすさを向上できる。
【００５３】
また、前記高床部屋４の周囲に設けられた前記複数の設備室５，６，７のうちの一つは便所５とされ、また一つは浴室６とされ、また一つは洗面脱衣室７とされているので、前記高床部屋４から当該便所５、当該浴室６、当該洗面脱衣室７への移動距離を短くすることができ、前記高床部屋４と、当該便所５、当該浴室６、当該洗面脱衣室７との間の行き来のしやすさを向上できる。
さらに、前記腰かけ部２ａの近傍に前記便器５ａが設置されているので、前記腰かけ部２ａを利用して前記便器５ａまで容易かつ確実に移動できる。
さらに、前記腰かけ部２ａに隣接して前記浴槽６ａが設置されているので、前記腰かけ部２ａを利用して前記浴槽６ａまで容易かつ確実に移動できる。
【００５４】
また、前記便所５は、前記居室９に隣接しており、当該便所５は、前記高床部屋４側の出入口５ｂとは異なる前記居室９側の出入口１９ａを備えるので、前記高床部屋４に普段いない居住者も、当該出入口１９ａを使って前記便所５を使用でき、利便性に優れる。
【００５５】
また、前記浴室６は、前記居室９に隣接しており、当該浴室６は、前記高床部屋４側の出入口６ｂとは異なる前記居室９側の出入口１７ａを備えるので、前記高床部屋４に普段いない居住者も、当該出入口１７ａを使って前記浴室６を使用でき、利便性に優れる。
【００５６】
また、前記高床部屋４の周囲には、前記腰かけ部２ａ…と、前記腰かけ台２０，２１と、が設けられているので、これら腰かけ部２ａ…と腰かけ台２０，２１とによって前記高床部屋４の周囲を取り囲むことができる。これによって、前記高床部屋４から前記設備室５，６，７および前記収納室８への行き来だけに限られず、前記高床部屋４から当該高床部屋４に隣接する他の空間である居室９や屋外空間との行き来のしやすさも向上させることができる。
【符号の説明】
【００５７】
１  建物
２  床部
３  高床部
４  高床部屋
５  設備室（便所）
５ａ  設備機器（便器）
５ｂ  出入口
６  設備室（浴室）
６ａ  設備機器（浴槽）
６ｂ  出入口
１１  壁（外壁）
１２  壁（外壁）
１３  壁（外壁）
１４  壁（内壁）
１５  壁（内壁）
１６  壁（内壁）
１７  壁（内壁）
１８  壁（内壁）
１９  壁（内壁）
【図１】
2014189942.tif 000003
【図２】
2014189942.tif 000004
【図３】
2014189942.tif 000005
【図４】
2014189942.tif 000006